(57)【特許請求の範囲】
【請求項１】
信号品質を改善するためのデバイスによって、第1のセルのユーザ端末に属し、かつ少なくとも1つの第2のセルの基地局によって検出された第1の信号を取得するステップと、
前記デバイスによって、前記第1の信号を前記第1のセルの基地局によって検出された、前記ユーザ端末の第2の信号と組み合わせて、第3の信号を取得するステップと、
前記デバイスによって、前記第3の信号を無線ネットワーク制御装置に送信するステップと
を含み、
前記第2のセルの数が2つ以上であり、前記デバイスによって、前記第1の信号を前記第1のセルの基地局によって検出された、前記ユーザ端末の第2の信号と組み合わせて、第3の信号を取得する前記ステップが、詳細には、
前記デバイスによって、前記無線ネットワーク制御装置によって送信されたRSCPAdgeを受信するステップであって、前記RSCPAdgeが、すべての前記第2のセルの前記基地局によって送信された受信信号符号電力(RSCP)から前記無線ネットワーク制御装置によって選択された、最大値を有するRSCPであり、前記RSCPが、前記ユーザ端末がそれぞれの第2のセルの前記基地局によって送信された前記信号を受信するときに測定された受信信号符号電力である、受信するステップと、
前記デバイスによって、前記RSCPAdgeに対応する第2のセルの基地局によって検出され、かつ前記第1の信号として機能する、前記ユーザ端末の信号を前記第2の信号と組み合わせて、前記第3の信号を取得するステップと
を含む、
信号品質を改善するための方法。
【請求項２】
前記第1のセルの前記基地局および前記少なくとも1つの第2のセルの前記基地局が、それぞれ、マルチセルジョイント検出(MCJD)によって、前記ユーザ端末の前記第2の信号ならびに前記第1の信号を取得するステップ
を含む、請求項1に記載の方法。
【請求項３】
無線ネットワーク制御装置が、第1のセルのユーザ端末に属し、かつ少なくとも1つの第2のセルの基地局によって検出された第1の信号を取得するステップと、
前記無線ネットワーク制御装置が、前記第1のセルの基地局によって検出された、前記ユーザ端末の第2の信号を取得するステップと、
前記無線ネットワーク制御装置が、前記第1の信号を前記第2の信号と組み合わせて、第3の信号を取得するステップと
を含み、
前記第2のセルの数が2つ以上であり、前記無線ネットワーク制御装置が、前記第1の信号を前記第2の信号と組み合わせて、第3の信号を取得する前記ステップが、
前記無線ネットワーク制御装置が、それぞれの近接する第2のセルの前記基地局によって送信された受信信号符号電力(RSCP)を受信するステップであって、前記RSCPが、前記ユーザ端末が前記それぞれの近接する第2のセルの前記基地局によって送信された前記信号を受信するときに測定された受信信号符号電力である、受信するステップと、
RSCPAdgeとマーキングされた、すべての前記第2のセルの前記基地局によって送信された前記RSCPからの最大値を有するRSCPを前記無線ネットワーク制御装置によって選択するステップと、
前記無線ネットワーク制御装置が、前記RSCPAdgeに対応する第2のセルの基地局によって検出され、かつ前記第1の信号として機能する、前記ユーザ端末の信号を前記第2の信号と組み合わせて、前記第3の信号を取得するステップと
を含む、
信号品質を改善するための方法。
【請求項４】
前記第1のセルの前記基地局および前記少なくとも1つの第2のセルの前記基地局が、それぞれ、マルチセルジョイント検出(MCJD)によって、前記ユーザ端末の前記第2の信号ならびに前記第1の信号を取得する、請求項3に記載の方法。
【請求項５】
第1のセルのユーザ端末に属し、かつ少なくとも1つの第2のセルの基地局によって検出された第1の信号を取得するために使用される第1のプロセッサと、
前記第1の信号を前記第1のセルの基地局によって検出された、前記ユーザ端末の第2の信号と組み合わせて、第3の信号を取得するために使用される第2のプロセッサと、
前記第3の信号を無線ネットワーク制御装置に送信するために使用される送信機と
を含み、
前記第2のセルの数が2つ以上であり、更に、
前記無線ネットワーク制御装置によって送信されたRSCPAdgeを受信することであって、前記RSCPAdgeが、すべての前記第2のセルの前記基地局によって送信された受信信号符号電力、RSCPから前記無線ネットワーク制御装置によって選択された、最大値を有するRSCPであり、前記RSCPが、前記ユーザ端末がそれぞれの第2のセルの前記基地局によって送信された前記信号を受信するときに測定された受信信号符号電力である、受信することと、
前記RSCPAdgeに対応する第2のセルの基地局によって検出された前記ユーザ端末の信号を取得して、前記RSCPAdgeに対応する信号を前記第1の信号として利用することと
のために使用される第3のプロセッサ
を含む、
信号品質を改善するためのデバイス。
【請求項６】
マルチセルジョイント検出(MCJD)によって、前記ユーザ端末の前記第2の信号を取得するために使用される第4のプロセッサ
を含む、請求項5に記載のデバイス。
【請求項７】
前記第3の信号をフレームに包装して、前記包装された第3の信号を前記無線ネットワーク制御装置に送信するために使用される第5のプロセッサ
を含む、請求項5に記載のデバイス。
【請求項８】
前記信号品質を改善するための前記デバイスが、前記第1のセルの前記基地局、または前記第1のセルの前記基地局および前記無線ネットワーク制御装置以外の他のエンティティである
請求項5から7のいずれか一項に記載のデバイス。
【請求項９】
第1のセルのユーザ端末に属し、少なくとも1つの第2のセルの基地局によって検出された第1の信号と、前記第1のセルの基地局によって検出された、前記ユーザ端末の第2の信号とを取得するために使用される第1のプロセッサと、
前記第1の信号を前記第2の信号と組み合わせて、第3の信号を取得するために使用される第2のプロセッサと、
すべての前記第2のセルの前記基地局によって検出された、前記ユーザ端末の信号内の最大信号強度を有する信号を取得して、前記最大信号強度を有する信号を前記第1の信号として利用するために使用される第3のプロセッサと、
前記ユーザ端末がそれぞれの第2のセルの前記基地局によって送信された前記信号を受信するときに測定された受信信号符号電力である、それぞれの近接する第2のセルの前記基地局によって送信された受信信号符号電力(RSCP)を受信するために使用される受信機と、
すべての前記第2のセルの前記基地局によって送信された前記RSCPから、RSCPAdgeと名付けられた、最大値を有するRSCPを選択するために使用される第4のプロセッサと
を含む無線ネットワーク制御装置。
【発明の詳細な説明】
【技術分野】
【０００１】
本出願は、その内容全体が参照により本明細書に組み込まれている、2011年8月26日に中国特許庁に出願した、「METHOD, DEVICE, RADIO NETWORK CONTROLLER AND CHIP FOR IMPROVING NETWORK QUALITY」という表題の中国特許出願第201110246879.4号の優先権を主張するものである。
【０００２】
本発明は、通信の分野に関し、詳細には、ネットワーク品質を改善するための方法、デバイス、無線ネットワーク制御装置、およびチップに関する。
【背景技術】
【０００３】
時分割同期符号分割多元接続(Time Division-Synchronization Code Division Multiple Access)(TD-SCDMA)ネットワークの需要の高まりと共に、どのようにしてネットワークをユーザの要件をより満たすものにして、ユーザの意識を高めるかはTD-SCDMAモバイルネットワークを構築する際に解決することが必要とされる問題である。TD-SCDMAネットワークの性能は、主に、アップリンクの受信性能によって制限されるため、TD-SCDMAアップリンクの受信性能を改善することはネットワーク全体の性能を改善するための鍵である。
【０００４】
先行技術では、TD-SCDMAネットワークのアップリンクの信号品質は、主に、ネットワーキングモードで改善される。ネットワーキングモードのアップリンクの信号品質を改善するための方法は、弱いカバレッジ領域内にアンテナを追加して、弱いカバレッジ領域の信号品質を改善するステップを含む。アンテナは、カバレッジ範囲を拡大するようなモードで弱いカバレッジ領域内に追加されることが必要とされ、ネットワークの継ぎ目のないカバレッジは、アンテナのカバレッジ距離および周囲建物の妨害の影響により、アンテナを追加するモードで実現することが依然として困難である。したがって、アップリンクの弱い信号品質の問題を解決することができない。
【０００５】
前述の方法はアップリンクの信号品質をある程度改善することができるが、この方法は、現在のTD-SCDMAアップリンクの弱い信号品質による、ネットワークユーザの呼び欠落(call drop)および単一の呼出(single call)、ならびに低い切替え成功率の技術的問題を根本的に解決することが依然としてできない。
【発明の概要】
【課題を解決するための手段】
【０００６】
本発明の実施形態で提供される、第1のセルのユーザ端末に属し、かつ第2のセルの基地局によって検出された第1の信号を第1のセルの基地局によって検出された、ユーザ端末の第2の信号と組み合わせることによって、ネットワーク性能を改善するための方法およびシステムはユーザ端末の信号品質を改善することができる。
【０００７】
前述の目的を達成するために、本発明の実施形態は以下の技術的解決策を採用する。
【０００８】
一態様では、本発明の実施形態は、
第1のセルのユーザ端末に属し、かつ少なくとも1つの第2のセルの基地局によって検出された第1の信号を取得するステップと、
第1の信号を第1のセルの基地局によって検出された、ユーザ端末の第2の信号と組み合わせて、第3の信号を取得するステップと、
第3の信号を無線ネットワーク制御装置に送信するステップと
を含む、信号品質を改善するための方法を提供する。
【０００９】
本発明の実施形態は、
無線ネットワーク制御装置が、第1のセルのユーザ端末に属し、かつ少なくとも1つの第2のセルの基地局によって検出された第1の信号を取得するステップと、
無線ネットワーク制御装置が、第1のセルの基地局によって検出された、ユーザ端末の第2の信号を取得するステップと、
無線ネットワーク制御装置が、第1の信号を第2の信号と組み合わせて、第3の信号を取得するステップと
を含む、ネットワーク信号品質を改善するための方法をさらに提供する。
【００１０】
もう1つの態様では、本発明の実施形態は、
第1のセルのユーザ端末に属し、かつ少なくとも1つの第2のセルの基地局によって検出された第1の信号を取得するために使用される第1のプロセッサと、
第1の信号を第1のセルの基地局によって検出された、ユーザ端末の第2の信号と組み合わせて、第3の信号を取得するために使用される第2のプロセッサと、
第3の信号を無線ネットワーク制御装置に送信するために使用される送信機と
を含む、信号品質を改善するためのデバイスをさらに提供する。
【００１１】
さらにもう1つの態様では、本発明の実施形態は、
第1のセルのユーザ端末に属し、かつ少なくとも1つの第2のセルの基地局によって検出された第1の信号と、第1のセルの基地局によって検出された、ユーザ端末の第2の信号とを取得するために使用される第1のプロセッサと、
第1の信号を第2の信号と組み合わせて、第3の信号を取得するために使用される第2のプロセッサと
を含む無線ネットワーク制御装置をさらに提供する。
【００１２】
さらにもう1つの態様では、本発明の実施形態は、
第1のセルのユーザ端末に属し、かつ少なくとも1つの第2のセルの基地局によって検出された第1の信号と、第1のセルの基地局によって検出された、ユーザ端末の第2の信号とを取得するために使用される第1の処理モジュールと、
第1の信号を第2の信号と組み合わせて、第3の信号を取得するために使用される第2の処理モジュールと
を含むチップをさらに提供する。
【００１３】
先行技術と比較して、本発明の実施形態で提供される技術的解決策では、第1のセルのユーザ端末に属し、かつ第2のセルの基地局によって検出された第1の信号は、第1のセルの基地局によって検出された、ユーザ端末の第2の信号と組み合わされ、その結果、ユーザ端末の信号品質は改善され、ネットワークユーザの呼び欠落および単一の呼出、ならびに低い切替え成功率の技術的問題が解決される。
【００１４】
本発明の実施形態または先行技術の実施形態の技術的解決策をより明瞭に例示するために、これらの実施形態または先行技術を説明する際に必要とされる添付の図面の手短な紹介が下に提示される。明らかに、下で説明される添付の図面は、いかなる発明性のある努力も伴わずに、それに基づいて当業者が他の図面を取得できる、本発明のいくつかの実施形態にすぎない。
【図面の簡単な説明】
【００１５】
【図１】本発明で提供される信号品質を改善するための方法のある実施形態を例示する流れ図である。
【図２】本発明で提供されるマルチセルジョイント検出(multi-cell joint detection)(MCJD)のある実施形態を例示するネットワークトポロジー図である。
【図３】本発明で提供される方法の実施形態Iを例示する原理概略図である。
【図４】本発明で提供される方法の実施形態Iを例示する流れ図である。
【図５】本発明で提供される、信号品質を提供するための方法のある実施形態を例示する流れ図である。
【図６】本発明で提供される方法の実施形態IIを例示する原理概略図である。
【図７】本発明で提供される方法の実施形態IIを例示する流れ図である。
【図８】本発明で提供されるネットワーク信号品質のデバイスを例示する形成原理ブロック図である。
【図９】本発明で提供される無線ネットワーク制御装置のある実施形態を例示する形成原理ブロック図である。
【図１０】本発明で提供されるチップのある実施形態を例示する形成原理ブロック図である。
【発明を実施するための形態】
【００１６】
本発明の実施形態で提供される、第1のセルのユーザ端末に属し、かつ第2のセルの基地局によって検出された第1の信号を第1のセルの基地局によって検出された、ユーザ端末の第2の信号と組み合わせることによって、信号品質を改善するための方法、デバイス、無線ネットワーク制御装置、およびチップは、ユーザ端末の信号品質を改善して、ユーザ端末の不良な信号品質による、ネットワークユーザの呼び欠落および単一の呼出、ならびに低い切替え成功率の技術的問題を解決することができる。
【００１７】
本発明の実施形態の技術的解決策は、本発明の実施形態において添付の図面と共に、下で明瞭かつ完全に説明される。明らかに、説明される実施形態は、本発明の実施形態のすべてではなく、本発明の実施形態の単なる一部である。本発明の実施形態に基づいて、何の発明性のある努力を伴わずに、当業者によって取得されるすべてのその他の実施形態は本発明の保護範囲に該当すべきである。
【００１８】
第１実施形態
本発明のある実施形態は、
ステップ101:第1のセルのユーザ端末に属し、かつ少なくとも1つの第2のセルの基地局によって検出された第1の信号を取得するステップと
ステップ102:第1の信号を第1のセルの基地局によって検出された、ユーザ端末の第2の信号と組み合わせて、第3の信号を取得するステップと、
ステップ103:第3の信号を無線ネットワーク制御装置に送信するステップと
を含む、図1に示されるような、信号品質を改善するための方法を提供する。
【００１９】
本発明の技術的解決策をより良好に理解するために、下の実施形態はユーザ装置UE(User Equipment)をユーザ端末と見なして説明される。
【００２０】
第1のセルはUEのサービス提供セルであり、第2のセルは第1のセルに隣接するセルであると仮定する。周波数点資源(frequency point resources)は制限されるため、第2のセルは、場合によっては、第1のセルと同じ周波数点を採用する。したがって、サービス提供セルの基地局はサービス提供セル内のUEの信号の他に、サービス提供セルと同じ周波数点を有する第2のセル内のUEからの信号を受信することが可能である。第2のセル内のUEからの信号はサービス提供セル内のUEの信号に干渉する可能性があるため、第2のセル内のUEは、概して、干渉UEと名付けられる。
【００２１】
好都合に説明するために、第1のセルと同周波数点を有する第2のセルは、本実施形態で同周波数近接セル(same-frequency neighboring cell)と名付けられる。例えば、図2に示されるように、UEのサービス提供セルは2つの同周波数近接セル、すなわち、同周波数近接セル1と同周波数近接セル2とを有する。干渉UE1は同周波数近接セル1に属し、干渉UE2は同周波数近接セル2に属する。サービス提供セルがUEの信号を受信するとき、サービス提供セルは、干渉UE1および干渉UE2からの信号をやはり受信する。サービス提供セルの基地局は、先行技術では、マルチセルジョイント検出(MCJD)方法によって受信信号の干渉を除去すること、すなわち、干渉UE1および干渉UE2の信号を除去することが可能である。これにより、サービス提供セル内のUEの信号を取得することができる。
【００２２】
同様に、同周波数近接セル1の基地局、または同周波数近接セル2の基地局は、先行技術ではMCJD方法によってサービス提供セル内でUEから信号を取得することがやはり可能である。
【００２３】
サービス提供セル内のUEの信号品質を改善するために、この実施形態では、サービス提供セルの基地局によって検出されたUEの信号を同周波数近接セル1の基地局および同周波数近接セル2の基地局によって検出された前記UEの信号と組み合わせることが可能である。組み合わされた信号の品質は、サービス提供セルの基地局によって先にかつ別個に検出されたUEの信号の品質よりも明らかに勝る。
【００２４】
前述の第2のセルおよび第1のセルは、同じ基地局に接続されてよく、または異なる基地局に接続されてもよい。
【００２５】
前述のステップ102で、第1の信号を第1のセルの基地局によって検出された、ユーザ端末の第2の信号と組み合わせて、第3の信号を取得するステップは、詳細には、
すべての第2のセルの基地局によって検出された第1の信号内の最大信号強度を有する信号を第2の信号を組み合わせて、第3の信号を取得するステップ
を含む。
【００２６】
例えば、前述の同周波数近接セル1の基地局によって検出されたUEの信号は信号1であり、同周波数近接セル2の基地局によって検出されたUEの信号は信号2であり、信号1の信号強度は信号2の信号強度よりもより高いと仮定する。計算量を簡約するために、1つの同周波数近接セルによって検出されたUEの信号だけを、サービス提供セルによって検出されたUEの信号と組み合わされるために選択することができる。本実施形態では、第3の信号を取得できるように、サービス提供セルの基地局によって検出されたUEの信号と組み合わせるために、最大信号強度を有する信号、すなわち、信号1が選択可能であることが好ましい。
【００２７】
本実施形態では、すべての第2のセルの基地局によって検出された第1の信号内の最大信号強度を有する信号を第2の信号を組み合わせて、第3の信号を取得するステップは、以下の様式、すなわち、
無線ネットワーク制御装置によって送信されたRSCPAdgeを受信するステップであって、RSCPAdgeが、すべての第2のセルの基地局によって送信された受信信号符号電力RSCP(received signal code powers)から無線ネットワーク制御装置によって選択された、最大値を有するRSCPであり、RSCPが、ユーザ端末が第2のセルの基地局の信号を受信するときにユーザ端末によって測定された、第2のセルの基地局からの信号の受信信号符号電力である、受信するステップと、
RSCPAdgeに対応する第2のセルの基地局によって検出され、かつ第1の信号として機能する、ユーザ端末の信号を第2の信号と組み合わせて、第3の信号を取得するステップとで実現可能である。
【００２８】
第1のセルの基地局および少なくとも1つの第2のセルの基地局は、それぞれ、MCJDによって、ユーザ端末の第2の信号ならびに第1の信号を取得する。
【００２９】
前述のステップ103では、第1のセルの基地局が第3の信号を無線ネットワーク制御装置に送信するステップは、
第1のセルの基地局が第3の信号をフレームに包装し、次いで、その包装された第3の信号を無線ネットワーク制御装置に送信するステップを含む。
【００３０】
本実施形態で提供される方法は、第1のセルの基地局、または第1のセルの基地局および無線ネットワーク制御装置以外の他のエンティティによって実行可能である。
【００３１】
本実施形態で提供される方法が第1のセルの基地局および無線ネットワーク制御装置以外の他のエンティティによって実行される場合、この方法は、
第1のセルの基地局によって検出された、ユーザ端末の第2の信号を取得するステップをさらに含む。
【００３２】
この方法は、下で、より詳細な例によって例示される。
【００３３】
図3に示されるように、本実施形態では、第1のセル303はUE304のサービス提供セルであり、第2のセル302は第1のセル303の同周波数近接セルであり、この場合、第2のセルは1つまたは複数のセルを含むことが可能であると仮定する。好都合に理解するために、この実施形態において例示するために1つの第2のセルだけを例に挙げ、UE304の信号は第2のセル302が属する基地局に達することが可能である。第2のセル302の基地局は、第2のセル内のUEの信号だけはく、UE304からの信号も受信することが可能である。したがって、第2のセル302にとって、UE304は第2のセル302の干渉UEであり、第2のセルの基地局はMCJDによってUE304の信号を取得することができる。
【００３４】
第1のセル303の基地局は、MCJDによってUE304の信号をやはり取得することができる。したがって、第2のセル302の基地局と第1のセル303の基地局とによって取得された、UE304の信号を組み合わせることによって、UE304の信号品質を改善することができる。
【００３５】
複数の同周波数近接セルが存在する場合、すなわち、複数の第2のセル302が第1のセル303に隣接する場合、それぞれの第2のセル302の基地局によって受信されたUE304の信号はMCJDによって検出可能であり、すべての第2のセル302の基地局によって検出された、UE304の信号を第1のセル303の基地局によって検出された信号と組み合わせることによって、UE304の信号品質を改善することができる。
【００３６】
前述の方法は、第1のセルの基地局、または第1のセルの基地局および無線ネットワーク制御装置以外の他のエンティティによって実行可能である。第1のセルおよび第2のセルは、同じ基地局に属してよく、または異なる基地局に属してもよい。
【００３７】
本実施形態では、複数の第2のセル302が存在する場合、これらの第2のセル302の基地局のすべてはサービス提供セル内のUE304から信号を受信することが可能であり、UE304は、第2のセル302の基地局によって送信された信号を受信して、第2のセルの基地局からの信号のRSCPを測定することがやはり可能である。UE304は、測定されたRSCPを第2のセル302の対応する基地局に送信することが可能であり、第2のセル302の基地局は受信されたRSCPを無線ネットワーク制御装置(RNC)に送信することになる。RNCは、受信されたRSCPに従って、RSCPAdgeとマーキングされた、最大値を有するRSCPを選択して、RSCPAdgeに対応する第2のセル302の基地局によって検出された、サービス提供セルのUE304の信号を第1のセル303の基地局によって検出された、UE304の信号と組み合わせることができる。このようにして、サービス提供セルのUE304の弱い信号を受信する、これらの第2のセル303の基地局によって検出された、サービス提供セルのUE304の信号は放棄され、その結果、組合せの間の計算量が削減される。
【００３８】
好ましくは、前述の方法は、第1のセルの基地局、または第1のセルの基地局および無線ネットワーク制御装置以外の他のエンティティによって実行可能であり、組み合わされた信号をフレームに包装して、その包装された信号をRNCに送信することが可能である。
【００３９】
複数の同周波数近接セルの情報、すなわち、第1のセルに隣接し、かつ第1のセルと同じ周波数を有する第2のセルの情報を第1のセルに関して構成することが可能である。
【００４０】
RNCは第1のセル303に関する同周波数近接セル情報を構成し、同周波数近接セル情報は、近接セル符号木情報(neighboring cell code tree information)と、近接セルユーザによって占有される符号木資源(code tree resources)を示すための表示情報と、近接セルスクランブリング符号情報(neighboring cell scrambling code information)とを含む。
【００４１】
信号組合せが第1のセル303の基地局によって実行されるときの本発明で提供される方法の完全なステップが、図3、図4、および前述の説明プロセスと共に、より詳細なプロセスを使用することによって下で詳細に説明される:
401:代替のステップとして、RNC301がRSCPの周期的な測定および報告をUE304に知らせる、
RSCPは、UE304によって測定された、第2のセル302の基地局からの信号の受信信号符号電力である。複数の第2のセル302が存在する場合、UE304は、それぞれの第2のセル302の基地局にRSCPを報告しなければならず、それぞれの第2のセル302の基地局は、受信されたRSCPをRNC301に送信することになる。
402:より好ましくは、RNC301は、RSCPから、好都合に説明するために、RSCPAdgeと名付けられた、最大値を有するRSCPを選択する。この実施形態では、RSCPAdgeに対応する第2のセル302の基地局によって検出された、サービス提供セルのUE304の信号は、第1のセル303の基地局に送信される。第1のセル303の基地局は、それらの信号を第1のセル303の基地局によって検出された、サービス提供セルのUE304の信号と組み合わせる。
【００４２】
より好ましくは、RNC301がRSCPのRSCPAdgeがRNC301内にプリセットされたしきい値MacroDiversityRNCAbsThreshold未満であること、すなわち、
RSCPAdge<MacroDiversityRNCAbsThresholdであることを見出したとき、RSCPAdgeに対応するUE304は第2のセル302の干渉UEではないと見なされ、第1のセル303の基地局は、第2のセル302の基地局によって検出された、UE304の信号を組み合わせない。
【００４３】
RNC301が、RSCPの最大値RSCPAdgeがしきい値MacroDiversityRNCAbsThreshold以上であること、すなわち、
RSCPAdge≧MacroDiversityRNCAbsThresholdであることを見出したとき、RSCPAdgeに対応するUE304は第2のセル302の干渉UEであると見なされ、次のステップ403が実行される:
403:本実施形態では、第1のセル303の基地局からであり、かつUE304によって受信された信号のRSCPはRSCPLocalであると仮定し、RNCは、第1のセル303の基地局によって転送されたRSCPLocalを同様に受信することになる。RNC301が、RSCPLocalとRSCPAdgeとの間のRSCP差MacroDiversityLossすなわち、MacroDiversityLoss=RSCPLocal-RSCPAdgeを判定する。ステップ405に示されるように、MacroDiversityLoss≦<MacroDiversityLossThresholdである場合、サービス提供セルのUE304は第2のセル302の干渉UEではなく、第1のセル303の基地局は、第2のセル302の基地局によって検出された、UE304の信号を組み合わせないことになる。
【００４４】
ステップ403で、RNC301が、RSCPLocalとRSCPAdgeとの間のRSCP差MacroDiversityLossがMacroDiversityRNCAbsThresholdを上回ると判定した場合、サービス提供セルのUE304は、第2のセル302の干渉UEであると判断される。
404:RNC301がUE304を干渉UEと判断して、第2のセル302の基地局が干渉UE304の信号を検出する。
406:RSCPAdgeに対応する第2のセル302の基地局によって検出された、UE304の信号は、第1のセル303の基地局に送信される、
407:第1のセル303の基地局は、第2のセル302の基地局によって送信された、UE304の受信信号を第1のセル303の基地局によって検出された、UE304の信号と組み合わせる、
組み合わされた信号をフレームに包装して、その包装された信号をRNCに送信することが可能である。
【００４５】
本実施形態では、上述のUEは図3の304であり、UEのサービス提供セルは第1のセル303であり、第1のセル303の同周波数近接セルは図3の第2のセル302である。
【００４６】
第２実施形態
本実施形態は、
ステップ501:RNCが、第1のセルのユーザ端末に属し、かつ少なくとも1つの第2のセルの基地局によって検出された第1の信号を取得する、
ステップ502:RNCが、第1のセルの基地局によって検出された、ユーザ端末の第2の信号を取得する、
ステップ503:RNCが、第1の信号を第2の信号と組み合わせて、第3の信号を取得する、
を含む、図5に示されるような、信号品質を改善するための方法を提供する。
【００４７】
第2のセルの数は2つ以上であってよく、RNCが第1の信号を第2の信号と組み合わせて、第3の信号を取得するステップは、
あるいは、RNCが、第1のセルのユーザ端末に属し、かつすべての第2のセルの基地局によって検出された、取得された第1の信号内の最大信号強度を有する信号を第2の信号と組み合わせて、第3の信号を取得するステップ
を含む。
【００４８】
RNCが第1のセルの1つのユーザ端末に属し、かつすべての第2のセルの基地局によって検出された、取得された第1の信号内の最大値を有する信号を第2の信号と組み合わせて、第3の信号を取得するステップは、
RNCがそれぞれの近接する第2のセルの基地局によって送信されたRSCPを受信するステップであって、RSCPが、ユーザ端末がそれぞれの第2のセルの基地局によって送信された信号を受信するときに測定された受信信号符号電力である、受信するステップを含み、
すべての第2のセルの基地局によって送信されたRSCPから最大の値を有するRSCPが選択され、好都合に説明するために、最大値を有するRSCPは下でRSCPAdgeと名付けられ、
RSCPAdgeに対応する第2のセルの基地局によって検出され、第1の信号として機能するユーザ端末の信号は、第2の信号と組み合わされて、第3の信号を取得する。
【００４９】
第1のセルの基地局および少なくとも1つの第2のセルの基地局は、それぞれ、MCJDによって、ユーザ端末の第2の信号ならびに第1の信号を取得する。
【００５０】
第2のセルは、第1のセルと同じ周波数を有する、すべての近接のセルである。
【００５１】
図6に示されるように、本実施形態では、第1のセル303はUE304のサービス提供セルであり、第2のセル302は第1のセル303の同周波数近接セルであり、この場合、第2のセルは1つまたは複数のセルを含むことが可能であると仮定する。好都合に理解するために、1つの第2のセルだけが本実施形態を例示するための例として挙げられ、UE304の信号は第2のセル302が属する基地局に達することが可能である。第2のセル302の基地局は、第2のセル内のUEの信号だけではなく、第1のセル内のUE304からの信号も受信することが可能である。したがって、第2のセル302にとって、UE304は第2のセル302の干渉UEであり、第2のセル302の基地局は、MCJDによって、UE304の信号を取得することになる。
【００５２】
第1のセル303の基地局は、MCJDによって、UE304の信号を取得することがやはり可能である。したがって、第2のセル302の基地局と第1のセル303の基地局とによって取得された、UE304の信号を組み合わせることによって、UE304の信号品質を改善することができる。
【００５３】
複数の同周波数近接セル、すなわち、第1のセル303に隣接する複数の第2のセル302が存在する場合、それぞれの第2のセル302の基地局によって受信された、UE304の信号は、MCJDによって、第2のセル302の基地局によって検出可能であり、すべての第2のセル302の基地局によって検出された、UE304の信号を第1のセル303の基地局によって検出された信号と組み合わせることによって、UE304の信号品質を改善することができる。
【００５４】
本実施形態で説明される方法は、RNC、またはRNCと同様の機能を有する他のネットワークエンティティによって実行可能である。第1のセルおよび第2のセルは、同じ基地局に属してよく、または異なる基地局に属してもよい。
【００５５】
本実施形態では、複数の第2のセル302が存在する場合、これらの第2のセル302の基地局のすべてはサービス提供セルのUE304から信号を受信することが可能であり、UE304は、第2のセル302の基地局によって送信された信号を受信して、第2のセル302の基地局からの信号のRSCPを測定することがやはり可能である。UE304は、測定されたRSCPをそれぞれの第2のセル302の対応する基地局に送信することが可能であり、第2のセル302の基地局は受信されたRSCPをRNCに送信することになる。RNCは、受信されたRSCPに従って、好都合に説明するためにRSCPAdgeと名付けられた、最大値を有するRSCPを選択して、RSCPAdgeに対応する第2のセル302の基地局によって検出された、UE304の信号を、第1のセル303の基地局によって検出された、サービス提供セルのUE304からの信号と組み合わせることができる。このようにして、サービス提供セルのUE304の弱い信号を受信する、第2のセル302の基地局によって検出された、サービス提供セルのUE304の信号は放棄され、その結果、組み合わせる間の計算量が削減される。
【００５６】
複数の同周波数近接セルの情報、すなわち、第1のセルに隣接し、かつ第1のセルと同じ周波数を有する第2のセルの情報を第1のセルに関して構成することが可能である。
【００５７】
RNCは第1のセル303に関する同周波数近接セル情報を構成し、同周波数近接セル情報は、近接セル符号木情報と、近接セルユーザによって占有された符号木資源を示すための表示情報と、近接セルスクランブリング符号情報とを含む。
【００５８】
信号がRNCによって組み合わされるとき、本発明で提供される方法の完全なステップが、図6、図7、および前述の説明プロセスと共に、より詳細なプロセスを使用して下で詳細に説明される:
701:代替のステップとして、RNC301がRSCPの周期的な測定および報告をUE304に知らせる、
RSCPは、UE304によって測定された、第2のセル302の基地局からの信号の受信信号符号電力である。複数の第2のセル302が存在する場合、UE304は、それぞれの第2のセル302の基地局にRSCPを報告しなければならず、第2のセル302の基地局は受信されたRSCPをRNC301に送信することになる。
【００５９】
本実施形態では、第1のセル303の基地局からの、UE304によって受信された信号のRSCPがRSCPLocalである場合、RNCは前記第1のセル303の基地局によって転送されたRSCPLocalを同様に受信することになる。
702:UE304によって報告されたRSCPLocalとRSCPAdgeとに従って、RNC501が、RSCPLocalとRSCPAdgeとの間のRSCP差MacroDiversityLoss、すなわち、MacroDiversityLoss=RSCPLocal-RSCPAdgeを計算する、
703:RNC301が、RSCPLocalとRSCPAdgeとの間のRSCP差MacroDiversityLoss、すなわち、MacroDiversityLoss=RSC RSCPLocal-RSCPAdgeを判定する、
ステップ705に示されるように、MacroDiversityLoss≦MacroDiversityLossThresholdである場合、サービス提供セルのUE304は第2のセル302の干渉UEでないことが判断され、第1のセル303の基地局は、第2のセル302の基地局によって検出された、UE304の信号を組み合わせない。
【００６０】
ステップ703で、RNC301がRSCPLocalとRSCPAdgeとの間のRSCP差MacroDiversityLossがMacroDiversityRNCAbsThresholdを上回ると判定した場合、サービス提供セルのUE304は第2のセル302の干渉UEであると判断され、
704:UE304が干渉UEであると判定された場合、第2のセル302の基地局が干渉UE304の信号を検出して、RNC301が、第1のセル302の基地局によって検出された、UE304の信号と、第2のセル303の基地局によって検出された、UE304の信号とを受信する、
706:RNC301は前述の信号を組み合わせる。
【００６１】
好ましくは、RNC301は、この場合、好都合に説明するためにRSCPAdgeと名付けられた、最大値を有するRSCPを複数のRSCPから選択する。この実施形態では、RSCPAdgeに対応する第2のセル302の基地局によって検出された、サービス提供セルのUE304の信号は、第1のセル303の基地局によって検出された、サービス提供セルのUE304の信号と組み合わされる。
【００６２】
より好ましくは、RNC301がRSCPのRSCPAdgeがRNC301内にプリセットされたしきい値MacroDiversityRNCAbsThreshold未満であること、すなわち、
RSCPAdge<MacroDiversityRNCAbsThresholdであることを見出したとき、RSCPAdgeに対応するUE304は第2のセル302の干渉UEではないと見なされ、第1のセル303の基地局は、第2のセル302の基地局によって検出された、UE304の信号を組み合わせない。
【００６３】
RNC301がRSCPの最大値RSCPAdgeがRNC301内にプリセットされたしきい値MacroDiversityRNCAbsThreshold以上であること、すなわち、
RSCPAdge≧MacroDiversityRNCAbsThresholdであることを見出した場合、RSCPAdgeに対応するUE304は第2のセル302の干渉UEであると見なされ、次のステップが実行される。
【００６４】
本実施形態では、上述のUEは図6の304であり、UEのサービス提供セルは第1のセル303であり、第1のセル303の同周波数近接セルは図6の第2のセル302である。
【００６５】
第３実施形態
本発明は、
第1のセルのユーザ端末に属し、かつ少なくとも1つの第2のセルの基地局によって検出された第1の信号を取得するために使用される第1のプロセッサ81と、
第1の信号を第1のセルの基地局によって検出された、ユーザ端末の第2の信号と組み合わせて、第3の信号を取得するために使用される第2のプロセッサ82と、
第3の信号を無線ネットワーク制御装置に送信するために使用される送信機83と
を含む、図8に示されるような、信号品質を改善するためのデバイスを提供する。
【００６６】
好ましくは、このデバイスは、すべての第2のセルの基地局によって検出された信号の最大値を取得して、その最大値に対応する信号を第1の信号として利用するために使用される第3のプロセッサを含むことも可能である。
【００６７】
好ましくは、このデバイスは、MCJDによって、ユーザ端末の第2の信号を取得するために使用される第4のプロセッサをやはり含む。
【００６８】
好ましくは、このデバイスは、第3の信号をフレームに包装して、その包装された第3の信号を無線ネットワーク制御装置に送信するために使用される第5のプロセッサをやはり含む。
【００６９】
信号品質を改善するためのデバイスは、第1のセルの基地局、または、第1のセルの基地局および無線ネットワーク制御装置以外の他のエンティティである。
【００７０】
第４実施形態
本発明は、
第1のセルのユーザ端末に属し、かつ少なくとも1つの第2のセルの基地局によって検出された第1の信号と、第1のセルの基地局によって検出された、ユーザ端末の第2の信号とを取得するために使用される第1のプロセッサ91と、
第1の信号を第2の信号と組み合わせて、第3の信号を取得するために使用される第2のプロセッサ92と
を含む、図9に示されるような無線ネットワーク制御装置をやはり提供する。
【００７１】
好ましくは、この無線ネットワーク制御装置は、すべての第2のセルの基地局によって検出された、ユーザ端末の信号内の最大信号強度を有する信号を取得して、その最大信号強度を有する信号を第1の信号として利用するために使用される第3のプロセッサ93をやはり含む。
【００７２】
好ましくは、この無線ネットワーク制御装置は、それぞれの近接する第2のセルの基地局によって送信されたRSCPを受信するための受信機であって、RSCPが、ユーザ端末がそれぞれの第2のセルの基地局によって送信された信号を受信するときに測定される受信信号符号電力である、受信機をやはり含み、
あるいは、この無線ネットワーク制御装置は、すべての第2のセルの基地局によって送信されたRSCPから、RSCPAdgeと名付けられた、最大値を有するRSCPを選択するために使用される第4のプロセッサをやはり含む。
【００７３】
第５実施形態
本発明は、
第1のセルのユーザ端末に属し、かつ少なくとも1つの第2のセルの基地局によって検出された第1の信号と、第1のセルの基地局によって検出された、ユーザ端末の第2の信号とを取得するために使用される第1の処理モジュール101と、
第1の信号を第2の信号と組み合わせて、第3の信号を取得するために使用される第2の処理モジュール102と
を含む、図10に示されるようなチップを提供する。
【００７４】
好ましくは、このチップは、すべての第2のセルの基地局によって検出された、ユーザ端末の信号内の最大信号強度を有する信号を取得して、その最大信号強度を有する信号を第1の信号として利用するために使用される第3の処理モジュール103をやはり含む。
【００７５】
好ましくは、このチップは、第3の信号をフレームに包装して、その包装された第3の信号を無線ネットワーク制御装置に送信するために使用される第4の処理モジュールをやはり含む。
【００７６】
上の実施形態の説明を通して、本発明は、ソフトウェアと必要な一般的なハードウェアとによって実現可能であり、または、当然、ハードウェアによっても実現可能であるが、多くの条件下で前者がより良好な実施形態に関することを当業者は明瞭に理解されよう。そのような理解に基づいて、本発明の技術的解決策は実質的に、または先行技術に寄与する、本発明の部分は、ソフトウェア製品の形で実施可能であり、コンピュータソフトウェア製品は、(パーソナルコンピュータ、サーバ、またはネットワーク装置などであってよい)コンピュータ装置が本発明のそれぞれの実施形態で提供された方法を実施するのを可能にする複数の命令を含む、コンピュータのソフトディスク、ハードディスク、または光ディスクなどのストレージ媒体内に記憶される。
【００７７】
上記の説明は、本発明の保護範囲に限定されずに、本発明の特定の実施形態だけに関する。本発明によって開示された技術範囲内で、本発明の保護範囲内に該当すべき変更または置換を行うことを当業者は容易に着想されよう。したがって、本発明の保護範囲は請求項の保護範囲によって定義されるべきである。
【符号の説明】
【００７８】
81  第1のプロセッサ
82  第2のプロセッサ
83  送信機
91  第1のプロセッサ
92  第2のプロセッサ
93  第3のプロセッサ
101  第1の処理モジュール
102  第2の処理モジュール
103  第3の処理モジュール
301  RNC
302  第2のセル
303  第1のセル
304  UE
【図１】
0005780619.tif 000002
【図２】
0005780619.tif 000003
【図３】
0005780619.tif 000004
【図４】
0005780619.tif 000005
【図５】
0005780619.tif 000006
【図６】
0005780619.tif 000007
【図７】
0005780619.tif 000008
【図８】
0005780619.tif 000009
【図９】
0005780619.tif 000010
【図１０】
0005780619.tif 000011